(57)【要約】【課題】放送用信号の品質に応じて、当該放送用信号の全部又は一部を出力することで、消費電力を低減できる中継システムを提供すること。【解決手段】放送用信号に対して、所定処理を行う中継システム１であって、放送用信号に含まれる所定帯域の信号を抽出する１３セグフィルタ３ｆと、放送用信号に含まれる所定帯域の信号の一部のみを抽出する１セグフィルタ３ｇと、放送用信号の品質レベルを所定値に基づいて判定する品質判定部５ｆ１と、品質判定部５ｆ１によって放送用信号の品質レベルが所定レベル以上であると判定された場合に、所定帯域の信号の全てが１３セグフィルタ３ｆを介して外部へ出力され、品質判定部５ｆ１によって放送用信号の品質レベルが所定レベル未満であると判定された場合に、所定帯域の信号の一部のみが１セグフィルタ３ｇを介して外部へ出力されるように、１３セグフィルタ３ｆ及び１セグフィルタ３ｇを切り替える切替部とを備える。【選択図】図２
2010098502.tif 000002
【特許請求の範囲】
【請求項１】
放送用信号に対して、周波数変換を含む所定処理を行う中継システムであって、
前記放送用信号に含まれる所定帯域の信号を抽出する第１のフィルタ手段と、
前記放送用信号に含まれる前記所定帯域の信号の一部のみを抽出する第２のフィルタ手段と、
前記放送用信号の品質レベルを所定値に基づいて判定する判定手段と、
前記判定手段によって前記放送用信号の品質レベルが所定レベル以上であると判定された場合に、前記放送用信号に含まれる前記所定帯域の信号の全てが前記第１のフィルタ手段を介して当該中継システムの外部へ出力され、前記判定手段によって前記放送用信号の品質レベルが所定レベル未満であると判定された場合に、前記放送用信号に含まれる前記所定帯域の信号の一部のみが前記第２のフィルタ手段を介して当該中継システムの外部へ出力されるように、前記第１のフィルタ手段及び前記第２のフィルタ手段を切り替える切替手段と、
を備えることを特徴とする中継システム。
【請求項２】
前記切替手段は、前記判定手段によって前記放送用信号に含まれる前記所定帯域の信号の一部の品質レベルが所定レベル未満であると判定された場合に、当該放送用信号に含まれる前記所定帯域の信号の一部が前記第２のフィルタ手段を介して当該中継システムの外部へ出力されないように、前記第１のフィルタ手段及び前記第２のフィルタ手段を切り替えること、
を特徴とする請求項１に記載の中継システム。
【請求項３】
前記判定手段を、前記第１のフィルタ手段、前記第２のフィルタ手段、及び前記切替手段よりも前段に配置したこと、
を特徴とする請求項２に記載の中継システム。
【請求項４】
前記放送用信号を当該中継システムの外部から入力する入力端子と、
前記放送用信号を当該中継システムの外部へ出力する出力端子と、
前記入力端子から入力された前記放送用信号を受信変換した後に、当該放送用信号を前記出力端子側へ出力する受信変換部と、
前記受信変換部から出力された前記放送用信号を送信変換した後に、当該放送用信号を前記出力端子側へ出力する送信変換部と、
前記受信変換部又は前記送信変換部から出力された前記放送用信号の出力遮断制御を行うスケルチとを備え、
前記第１のフィルタ手段、前記第２のフィルタ手段、及び前記切替手段を、前記受信変換部又は前記送信変換部に設け、
前記判定手段を前記スケルチに設けたこと、
を特徴とする請求項１から３のいずれか一項に記載の中継システム。
【請求項５】
電力を蓄電する蓄電手段を備え、
前記切替手段は、蓄電手段にて蓄電された電力によって当該中継システムが駆動する場合に、前記放送用信号に含まれる前記所定帯域の信号の一部が前記第２のフィルタ手段を介して当該中継システムの外部へ出力されるように、前記第１のフィルタ手段及び前記第２のフィルタ手段を切り替えること、
を特徴とする請求項１から４のいずれか一項に中継システム。
【請求項６】
前記放送用信号は、デジタル放送用信号であって、
前記第１のフィルタ手段は、１３セグメント用のデジタルフィルタであり、
前記第２のフィルタ手段は、１セグメント用のデジタルフィルタであること、
を特徴とする請求項１から５のいずれか一項に記載の中継システム。
【発明の詳細な説明】
【技術分野】
【０００１】
本発明は、放送用信号を中継する中継システムに関する。
【背景技術】
【０００２】
従来からＴＶ放送の放送システムにおいては、放送電波を山間部等の難視聴地域に伝送するために中継システムが利用されている。この中継システムは、山の頂上付近に建てられた中継所の内部に設置され、放送局から送信された放送波をアンテナで受信し、ここで信号の増幅やノイズの除去などを行って、再び送信信号を構成してこれを放送波として目的の難視聴地域に向けて送信するものである。
【０００３】
図１３は、従来の中継システムの構成を示したブロック図である。この中継システム２００は、受信アンテナ２０１、受信変換部２０２、送信変換部２０３、ＰＡ（Ｐｏｗｅｒ  Ａｍｐ）２０４、及び送信アンテナ２０５を備えて構成されていた。受信アンテナ２０１は、図示しない放送局から送信された放送波を受信して放送用信号として受信変換部２０２に出力する。受信変換部２０２は、放送用信号を所定の中間信号に変換し、中間信号に対するノイズ除去や信号増幅を行った後、この中間信号を送信変換部２０３に出力する。送信変換部２０３は、中間信号を目的の周波数の放送用信号に変換し、この放送用信号をＰＡ２０４に出力する。ＰＡ２０４は、放送用信号を増幅して送信アンテナ２０５に出力し、送信アンテナ２０５は放送用信号を放送波として送信する。
【０００４】
ここで、受信変換部２０２及び送信変換部２０３の各々には、出力制御装置（以下、スケルチ２０２ａ、２０３ａ）が内蔵されていた。これらスケルチ２０２ａ、２０３ａは、中継システム２００から出力されるノイズを抑制する。すなわち、受信変換部２０２や送信変換部２０３の内部には、図示しないＡＧＣ（Ａｕｔｏｍａｔｉｃ  Ｇａｉｎ  Ｃｏｎｔｒｏｌ）が設けられており、このＡＧＣを用いて利得を自動制御することで、受信変換部２０２や送信変換部２０３からの出力レベルを所定レベルに維持する。このため、放送休止中等の理由によって放送波がない時には、受信変換部２０２や送信変換部２０３に対する入力レベルが低いものと判定してノイズを最大利得で増幅してしまい、これら受信変換部２０２や送信変換部２０３からノイズが出力され、不要放射となってしまう。この問題を防止するため、スケルチ２０２ａ、２０３ａにより、受信変換部２０２や送信変換部２０３に対する入力レベルを判定し、当該入力レベルが所定レベル（以下「スケルチレベル」）以下である場合には、ＡＧＣの増幅機能をＯＦＦとすること等により、放送用信号の出力を遮断していた（例えば特許文献１参照）。
【０００５】
【特許文献１】特開２００４−０４８１４１号公報
【発明の開示】
【発明が解決しようとする課題】
【０００６】
しかしながら、従来の中継システム２００においては、スケルチ２０２ａ、２０３ａにおけるＡＧＣの制御を入力レベルのみに基づいて行っていたので、例えば、放送休止中等の理由によって放送波がない時に、他の地域の同一チャンネルの放送波がスケルチレベル以上のレベルで中継システム２００に飛び込んできた場合、スケルチ２０２ａ、２０３ａは放送用信号の出力を継続してしまう可能性があった。
【０００７】
このような問題を防止するためには、スケルチ２０２ａ、２０３ａの制御を入力レベル以外の情報に基づいて行うことも考えられる。例えば、中継を行うべき所定の放送波（以下「希望波」）であるか否かを識別するための識別情報を当該放送波に含めておき、スケルチ２０２ａ、２０３ａでは、当該識別情報に基づいて放送波の判別を行い、希望波である場合には放送用信号の出力を継続し、希望波でない場合には放送用信号の出力を遮断することが考えられる。
【０００８】
一方、従来の中継システム２００は、放送用信号の特性（例えば、振幅特性、位相特性、又は周波数特性等）に基づいて当該放送用信号の信号品質を評価することができなかった。これにより、例えば、地上デジタル放送のデジタル放送用信号は、１つのチャンネルに画像情報や音声情報のみならず、多数の付加情報が組み込まれているため、当該デジタル放送用信号の信号品質が低い場合に、これら多数の付加情報の全部又は一部に不具合を有するおそれがあった。しかしながら、この中継システム２００は、放送用信号の信号品質が低い場合であっても、当該放送用信号を受信変換部２０２又は送信変換部２０３を介してＰＡ２０４へ伝送し、当該ＰＡ２０４によって増幅させ、そして当該ＰＡ２０４から送信アンテナ２０５へ出力していた。したがって、中継システム２００は、これら付加情報の一部に不具合を有する放送用信号を不要放射することで、当該放送用信号に対して無駄な電力を消費する可能性があった。
【０００９】
本発明は、上記に鑑みてなされたものであって、放送用信号の品質に応じて、当該放送用信号の全部又は一部を出力することで、消費電力を低減できる中継システムを提供することを目的とする。
【課題を解決するための手段】
【００１０】
上述した課題を解決し、目的を達成するために、請求項１に記載の中継システムは、放送用信号に対して、周波数変換を含む所定処理を行う中継システムであって、前記放送用信号に含まれる所定帯域の信号を抽出する第１のフィルタ手段と、前記放送用信号に含まれる前記所定帯域の信号の一部のみを抽出する第２のフィルタ手段と、前記放送用信号の品質レベルを所定値に基づいて判定する判定手段と、前記判定手段によって前記放送用信号の品質レベルが所定レベル以上であると判定された場合に、前記放送用信号に含まれる前記所定帯域の信号の全てが前記第１のフィルタ手段を介して当該中継システムの外部へ出力され、前記判定手段によって前記放送用信号の品質レベルが所定レベル未満であると判定された場合に、前記放送用信号に含まれる前記所定帯域の信号の一部のみが前記第２のフィルタ手段を介して当該中継システムの外部へ出力されるように、前記第１のフィルタ手段及び前記第２のフィルタ手段を切り替える切替手段とを備えることを特徴とする。
【００１１】
請求項２に記載の中継システムは、請求項１に記載の中継システムにおいて、前記切替手段は、前記判定手段によって前記放送用信号に含まれる前記所定帯域の信号の一部の品質レベルが所定レベル未満と判定された場合に、当該放送用信号に含まれる前記所定帯域の信号の一部が前記第２のフィルタ手段を介して当該中継システムの外部へ出力されないように、前記第１のフィルタ手段及び前記第２のフィルタ手段を切り替えることを特徴とする。
【００１２】
請求項３に記載の中継システムは、請求項２に記載の中継システムにおいて、前記判定手段を、前記第１のフィルタ手段、前記第２のフィルタ手段、及び前記切替手段よりも前段に配置したことを特徴とする。
【００１３】
請求項４に記載の中継システムは、請求項１から３のいずれか一項に記載の中継システムにおいて、前記放送用信号を当該中継システムの外部から入力する入力端子と、前記放送用信号を当該中継システムの外部へ出力する出力端子と、前記入力端子から入力された前記放送用信号を受信変換した後に、当該放送用信号を前記出力端子側へ出力する受信変換部と、前記受信変換部から出力された前記放送用信号を送信変換した後に、当該放送用信号を前記出力端子側へ出力する送信変換部と、前記受信変換部又は前記送信変換部から出力された前記放送用信号の出力遮断制御を行うスケルチとを備え、前記第１のフィルタ手段、前記第２のフィルタ手段、及び前記切替手段を、前記受信変換部又は前記送信変換部に設け、前記判定手段を前記スケルチに設けたことを特徴とする。
【００１４】
請求項５に記載の中継システムは、請求項１から４のいずれか一項に記載の中継システムにおいて、電力を蓄電する蓄電手段を備え、前記切替手段は、蓄電手段にて蓄電された電力によって当該中継システムが駆動する場合に、前記放送用信号に含まれる前記所定帯域の信号の一部が前記第２のフィルタ手段を介して当該中継システムの外部へ出力されるように、前記第１のフィルタ手段及び前記第２のフィルタ手段を切り替えることを特徴とする。
【００１５】
請求項６に記載の中継システムは、請求項１から５のいずれか一項に記載の中継システムにおいて、前記放送用信号は、デジタル放送用信号であって、前記第１のフィルタ手段は、１３セグメント用のデジタルフィルタであり、前記第２のフィルタ手段は、１セグメント用のデジタルフィルタであることを特徴とする。
【発明の効果】
【００１６】
請求項１に記載の中継システムによれば、判定手段によって放送用信号の品質レベルが所定レベル以上であると判定された場合に、放送用信号に含まれる所定帯域の信号が第１のフィルタ手段を介して当該中継システムの外部へ出力され、判定手段によって放送用信号の品質レベルが所定レベル未満である場合には、放送用信号に含まれる所定帯域の信号の一部が第２のフィルタ手段を介して当該中継システムの外部へ出力されるので、これら第１のフィルタ手段や第２のフィルタ手段によるフィルタ範囲を適切に設定することで、放送用信号の品質レベルに応じて当該放送用信号の出力を制限することができ、付加情報の一部に不具合を有する放送用信号を不要放射することを回避でき、放送用信号を出力する際に必要な消費電力を低減することができる。
【００１７】
請求項２に記載の中継システムによれば、判定手段によって放送用信号に含まれる所定帯域の信号の一部の品質レベルが所定レベル未満と判定された場合に、放送用信号に含まれる所定帯域の信号の一部を当該中継システムの外部へ出力させないので、放送用信号を出力する際に必要な消費電力を一層低減することができる。特に、このような信号出力の遮断を、第１のフィルタ手段及び第２のフィルタ手段に対する切り替え機構を用いて行うことで、別途の遮断機構を設ける必要がなくなり、当該中継システムを一層簡易に構成することができる。
【００１８】
請求項３に記載の中継システムによれば、判定手段を、第１のフィルタ手段、第２のフィルタ手段、及び切替手段よりも前段に配置したことで、放送用信号の品質レベルを判定してから切替手段を切り替えることができる。このため、例えば、放送用信号の品質レベルが所定レベル未満であると判定された場合に、切替手段を用いて第１のフィルタ手段及び第２のフィルタ手段を切り替えることで信号出力を遮断するような制御を行っても、放送用信号の品質レベルが所定レベル以上になった場合には、この事実を検知して信号出力を開始できる。
【００１９】
請求項４に記載の中継システムによれば、第１のフィルタ手段、第２のフィルタ手段、及び切替手段を、受信変換部又は送信変換部に設け、判定手段をスケルチに設けたことで、スケルチを用いて、識別情報に基づく出力遮断制御とフィルタ選択判定の両方を行うことができ、別途の判定機構を設ける必要がなくなり、中継システムを一層簡易に構成することができる。
【００２０】
請求項５に記載の中継システムによれば、蓄電手段にて蓄電された電力によって当該中継システムが駆動する場合に、放送用信号に含まれる所定帯域の信号の一部が第２のフィルタ手段を介して当該中継システムの外部へ出力されるので、災害等によって停電した場合であっても、放送用信号を低電力で長時間中継することができる。
【００２１】
請求項６に記載の中継システムによれば、デジタル放送用信号の品質レベルが所定レベル以上の場合には、１３セグメントのデジタル放送用信号を１３セグメント用のデジタルフィルタを介して当該中継システムの外部に出力させ、デジタル放送用信号の品質レベルが所定レベル未満の場合には、１セグメントのデジタル放送用信号を１セグメント用のデジタルフィルタを介して当該中継システムの外部に出力させることができ、デジタル放送用信号を出力する際に必要な消費電力を低減することができる。
【発明を実施するための最良の形態】
【００２２】
以下に添付図面を参照して、この発明に係る中継システムの各実施の形態を詳細に説明する。まず、〔I〕各実施の形態の基本的概念を説明した後、〔II〕各実施の形態の具体的内容について説明し、〔III〕最後に、各実施の形態に対する変形例について説明する。ただし、各実施の形態によって本発明が限定されるものではない。
【００２３】
〔I〕各実施の形態の基本的概念
まず、各実施の形態の基本的概念について説明する。各実施の形態に係る中継システムは、ＴＶ放送の放送システムにおいて、放送電波を入力信号として受信し、これに周波数変換を含む処理を施して出力信号を生成する機能を備えるものである。この種の中継システムにおいて、入力信号は、発振器からの所定周波数の信号と混合され、その処理のために一旦中間信号に変換される。この状態でフィルタ回路によって信号ノイズの除去が施され、必要な信号増幅などが行われる。これらの処理を経た中間信号は、入力信号と同じかあるいは任意の周波数に、再度変換され出力される。
【００２４】
本発明に係る中継システムの代表的な例としては、ＴＶ放送用の中継システムがある。この中継システムは、ＴＶ放送の放送システムにおいて、放送電波を山間部等の難視聴地域に中継するためのものであり、特に、本発明に係るものは、放送用信号を所定周波数の中間信号に変換した後、該中間信号を所定周波数の放送用信号に変換する信号変換機能を備えた中継システムである。各実施の形態が適用される中継システムは、その形式として、放送電波を受信する受信所と難視聴地域に電波を送信する送信所とが分離され光ファイバーなどの伝送路によって接続された分離型か、受信機と送信機が一箇所にある非分離型かを問わない。以下の実施の形態では、この放送電波の中継用の中継システムを例に挙げて説明する。なお、中継システムの構成としては、分波方法によって、ＳＣＰＡ（Ｓｉｎｇｌｅ  Ｃｈａｎｎｅｌ  Ｐｏｗｅｒ  Ａｍｐｌｉｆｉｅｒ）とＭＣＰＡ（Ｍｕｌｔｉ  Ｃｈａｎｎｅｌ  Ｐｏｗｅｒ  Ａｍｐｌｉｆｉｅｒ）に大別でき、本発明はいずれの構成にも同様に適用できるが、以下ではＳＣＰＡの例について説明する。
【００２５】
この中継システムの特徴の一つは、概略的に、放送用信号の品質を判定する判定手段の判定結果に基づいて、第１のフィルタ手段及び第２のフィルタ手段を切り替える切替手段を備えている点にある。この中継システムによれば、判定手段によって放送用信号の品質レベルが所定レベル以上であると判定された場合に、放送用信号に含まれる所定帯域の信号の全てが第１のフィルタ手段を介して当該中継システムの外部へ出力され、判定手段によって放送用信号の品質レベルが所定レベル未満である場合には、放送用信号に含まれる所定帯域の信号の一部のみが第２のフィルタ手段を介して当該中継システムの外部へ出力されるので、これら第１のフィルタ手段や第２のフィルタ手段によるフィルタ範囲を適切に設定することで、放送用信号の品質レベルに応じて当該放送用信号の出力を制限することができ、付加情報の一部に不具合を有する放送用信号を不要放射することを回避でき、放送用信号を出力する際に必要な消費電力を低減することができる。
【００２６】
〔II〕各実施の形態の具体的内容
次に、各実施の形態の具体的内容について説明する。最初に、各実施の形態に係る中継システムの構成を説明し、次いで、この中継システムを用いて行われる処理について説明する。
【００２７】
〔実施の形態１〕
まず実施の形態１について説明する。この実施の形態１は、判定手段を、第１のフィルタ手段、第２のフィルタ手段、及び切替手段よりも後段に配置した形態である。
【００２８】
（構成）
図１は、実施の形態１に係る中継システムの構成を概念的に示すブロック図である。図２は、図１の要部の構成を具体的に示すブロック図である。図１及び図２に示すように、中継システム１は、概略的に、受信アンテナ２、受信変換部３、送信変換部４、デジタルスケルチ５、ＰＡ６、送信アンテナ７、電源部８、入力端子９ａ１、９ａ２、及び出力端子９ｂ１、９ｂ２を備えて構成されている。
【００２９】
受信アンテナ２は、放送局から送信された放送波を受信して放送用信号として受信変換部３に出力する受信手段である。受信変換部３は、受信アンテナ２から出力された放送用信号を所定の中間信号に変換して送信変換部４に出力する中間信号変換手段である。受信変換部３の詳細については後述する。送信変換部４は、受信変換部３から出力された中間信号を目的の周波数の放送用信号に変換する放送用信号変換手段である。これら受信変換部３や送信変換部４においては、中間信号に対するノイズ除去や信号増幅が行われる。デジタルスケルチ５は、放送用信号又は当該放送用信号に基づいて生成された中間信号の出力遮断制御を行うためのもので、特許請求の範囲におけるスケルチに対応する。デジタルスケルチ５の詳細については後述する。ＰＡ６は、デジタルスケルチ５から出力された放送用信号を増幅して送信アンテナ７に出力する増幅手段である。送信アンテナ７は、ＰＡ６によって増幅された放送用信号を放送波として送信する送信手段である。
【００３０】
電源部８（図２のみに示す）は、中継システム１を構成する各機器に電力を供給する電力供給手段であり、ＡＣ１００Ｖ等の商用電源に図示しないコンセントを介して接続されている。この電源部８は、蓄電部８ａを備えて構成されている。蓄電部８ａは、電力を蓄電するためのものであり、特許請求の範囲における蓄電手段に該当する。例えば、蓄電部８ａは、通常時には電源部８の図示しないコンセントから電力を充電する場合を除いて待機しており、災害等による停電時には中継システム１の各機器に電力を供給する。
【００３１】
入力端子９ａ１は、受信アンテナ２から出力された放送用信号を後段の機器（ここでは受信変換部３）に入力する入力手段である。入力端子９ａ２は、送信変換部４から出力された放送用信号をデジタルスケルチ５へ入力する入力手段である。出力端子９ｂ１は、ＰＡ６から出力された放送用信号を送信アンテナ７へ出力する出力手段である。出力端子９ｂ２は、デジタルスケルチ５から出力された放送用信号をＰＡ６へ出力する出力手段である。なお、これら受信アンテナ２、送信変換部４、ＰＡ６、送信アンテナ７、電源部８、入力端子９ａ１、９ａ２、及び出力端子９ｂ１、９ｂ２については、従来と同様に構成できるので、その詳細は省略する。
【００３２】
（構成−受信変換部）
次いで、受信変換部３の構成について詳細に説明する。受信変換部３は、ミキサ３ａ、発振器３ｂ、アンプ３ｃ、切替部３ｄ，３ｅ、１３セグフィルタ３ｆ、１セグフィルタ３ｇ、入力端子３ｈ、及び出力端子３ｉを備えて構成されている。
【００３３】
ミキサ３ａは、放送用信号と発振器３ｂからの発振信号との差分の周波数の中間信号を生成するものである。発振器３ｂは、発振子を使用して基準発振周波数を制御するものである。アンプ３ｃは、増幅器であり、放送用信号を増幅し、或いはミキサ３ａ等で減衰した放送用信号を増幅する。
【００３４】
切替部３ｄ，３ｅは、１３セグフィルタ３ｆ及び１セグフィルタ３ｇを切り替えるための切替手段である。切替部３ｄは、１３セグフィルタ３ｆ及び１セグフィルタ３ｇよりも前段に配置されている。また、切替部３ｅは、１３セグフィルタ３ｆ及び１セグフィルタ３ｇよりも後段に配置されている。１３セグフィルタ３ｆは、放送用信号に含まれる所定帯域の信号を抽出するフィルタ手段であり、特許請求の範囲における１３セグメント用のデジタルフィルタに対応する。具体的には、１３セグフィルタ３ｆは、地上デジタル放送の場合において、デジタル放送用信号の１チャンネルの信号から、ノイズを除去して１３セグメントのみを抽出する。１セグフィルタ３ｇは、放送用信号に含まれる所定帯域の信号の一部を抽出するフィルタ手段であり、特許請求の範囲における１セグメント用のデジタルフィルタに対応する。具体的には、１セグフィルタ３ｇは、地上デジタル放送の場合において、デジタル放送用信号の１チャンネルの信号から、ノイズ及び不要セグメントを除去して１セグＴＶ放送用の１セグメントのみを抽出する。入力端子３ｈは、放送用信号を入力端子９ａ１からアンプ３ｃに入力する入力手段である。出力端子３ｉは、放送用信号を送信変換部４へ出力する出力手段である。
【００３５】
（構成−デジタルスケルチ）
次いで、デジタルスケルチ５の構成について詳細に説明する。図３は、図１及び図２のデジタルスケルチ５の構成を示すブロック図である。デジタルスケルチ５は、入力端子５ａ、出力端子５ｂ、復調部５ｃ、ＮＩＴ取得部５ｄ、ＮＩＴ判定部５ｅ、スケルチ制御部５ｆ、入出力インターフェース（以下「入出力Ｉ／Ｆ」）５ｇ、チャンネル表示器５ｈ、チャンネル設定ＳＷ５ｉ、同期表示灯５ｊ、ＮＩＴ受信表示灯５ｋ、ＮＩＴ設定ＳＷ５ｍ、スケルチ表示灯５ｎ、制御ＳＷ５ｐ、及びリセットＳＷ５ｑを備えて構成されている。
【００３６】
入力端子５ａは、前段機器（ここでは送信変換部４)からの放送用信号の入力を受け付ける入力手段である。出力端子５ｂは、後段機器（ここではＰＡ６）へ放送用信号を出力する出力手段である。復調部５ｃは、入力端子５ａから出力端子５ｂに至る線路から放送用信号を取得し、当該取得した放送用信号を復調してＮＩＴ取得部５ｄに出力する。
【００３７】
ＮＩＴ取得部５ｄは、放送用信号に多重されたＮＩＴ（Ｎｅｔｗｏｒｋ  Ｉｎｆｏｒｍａｔｉｏｎ  Ｔａｂｌｅ）を取得してＮＩＴ判定部５ｅに出力する識別情報取得手段である。ＮＩＴは、中継システム１によって中継を行うべき放送用信号を識別するための識別情報である。このＮＩＴには、放送用信号の物理チャンネル及び周波数が含まれている。ただし、識別情報の具体的種類は任意であり、ＮＩＴに代えて、ＳＤＴ（Ｓｅｒｖｉｃｅ  Ｄｅｓｃｒｉｐｔｉｏｎ  Ｔａｂｌｅ）、ＢＩＴ（Ｂｒｏａｄｃａｓｔｅｒ  Ｉｎｆｏｒｍａｔｉｏｎ  Ｔａｂｌｅ）、ＥＩＴ（Ｅｖｅｎｔ  Ｉｎｆｏｒｍａｔｉｏｎ  Ｔａｂｌｅ）、ＣＤＴ（Ｃｏｍｍｏｎ  Ｄａｔａ  Ｔａｂｌｅ）を含む、任意の情報を用いることができる。
【００３８】
ＮＩＴ判定部５ｅは、ＮＩＴ取得部５ｄにて取得されたＮＩＴに基づいて、入力端子５ａを介して入力された放送用信号に対する出力遮断制御の要否を判定する判定手段である。例えば、ＮＩＴ判定部５ｅは、中継システム１によって中継を行うべき放送用信号のＮＩＴを予め保持しており、このＮＩＴとＮＩＴ取得部５ｄにて取得されたＮＩＴとが相互に一致するか否かを判定することで、放送用信号の適否を判定する。これら２つのＮＩＴが相互に一致する場合におけるＮＩＴ判定部５ｅの判定結果を「ＮＩＴ一致」、相互に一致しない場合におけるＮＩＴ判定部５ｅの判定結果を「ＮＩＴ不一致」と称する。なお、ＮＩＴ判定結果としては、この他にも、ＮＩＴが取得できなかった場合（ＮＩＴ無）や、ＮＩＴに何らかのエラーがあった場合（ＮＩＴエラー）が存在する。
【００３９】
スケルチ制御部５ｆは、ＮＩＴ判定部５ｅの判定結果に基づいて出力遮断制御を行うスケルチ制御手段である。例えば、スケルチ制御部５ｆは、ＮＩＴ判定部５ｅの判定結果がＮＩＴ不一致である場合にのみ、放送用信号の出力を遮断し、判定結果が他の場合には、放送用信号の出力を継続する。このスケルチ制御部５ｆは、品質判定部５ｆ１を備えている。品質判定部５ｆ１は、放送用信号の品質レベルを所定値に基づいて判定するもので、特許請求の範囲における判定手段に対応する。例えば、品質判定部５ｆ１は、中継システム１によって中継を行うべき放送用信号の品質指標となる所定値を予め保持しており、この放送用信号の品質レベルが所定レベル以上であるか否かを判定する。なお、放送用信号の品質指標となる所定値は任意であるが、例えば、変調誤差比、ビット誤り率、受信電力レベル、Ｃ／Ｎ（Ｃａｒｒｉｅｒ／Ｎｏｉｚｅ）比、同期状態等が該当する。
【００４０】
入出力Ｉ／Ｆ５ｇは、外部機器との間で有線又は無線により通信を行うための入出力手段である。例えば、外部機器としては、上述した遠方監視装置が想定される。また、入出力Ｉ／Ｆ５ｇは、ＮＩＴ取得部５ｄにて取得されたＮＩＴを遠方監視装置に送信する送信手段である。
【００４１】
チャンネル表示器５ｈは、当該中継システム１によって中継を行うべき放送用信号のチャンネル番号を表示する表示手段であり、例えば、７セグメント表示器によって構成される。また、チャンネル表示器５ｈは、ＮＩＴ取得部５ｄにて取得されたＮＩＴを表示する識別情報出力手段である。チャンネル設定ＳＷ５ｉは、中継を行うべき放送用信号のチャンネル番号を設定するための入力スイッチである。同期表示灯５ｊは、放送用信号との同期状態を示す表示手段、ＮＩＴ受信表示灯５ｋは、放送用信号からのＮＩＴの取得状態を示す表示手段、スケルチ表示灯５ｎは、出力遮断制御の状態を示す表示手段であり、これらは例えばＬＥＤ（Ｌｉｑｕｉｄ  Ｅｍｉｔｔｉｎｇ  Ｄｉｏｄｅ）を用いて構成される。ＮＩＴ設定ＳＷ５ｍは、中継を行うべき放送用信号のＮＩＴを設定するための入力スイッチである。
【００４２】
制御ＳＷ５ｐは、出力遮断制御を自動的に解除することで、放送用信号をいわゆるスルー状態で出力端子５ｂに出力させるための指示手段であり、この制御ＳＷ５ｐが押圧されると、当該制御ＳＷ５ｐが再び押圧されるまで押圧状態が機械的に保持され、押圧状態が保持されている間は、基本条件と連続条件の充足の有無に関わらず、出力遮断制御が解除される。リセットＳＷ５ｑは、スケルチ制御部５ｆをリセットするためのリセット手段である。
【００４３】
（処理）
次に、この中継システム１のデジタルスケルチ５において行われる各種の処理について説明する。この処理は、ＮＩＴを中継システム１に設定するための設定処理、及び放送用信号の中継を行うための中継処理に大別される。なお、特記しない制御に関しては、スケルチ制御部５ｆが行うこととする。
【００４４】
（処理−設定処理）
最初に、設定処理について説明する。図４は、実施の形態１に係る中継システム１の設定処理のフローチャートである。この設定処理は、中継処理に先立つ任意のタイミングで開始されるもので、入力端子５ａに放送用信号を入力している状態で、チャンネル設定ＳＷ５ｉを押すことにより開始される。チャンネル設定ＳＷ５ｉが押されると、復調部５ｃにて復調された放送用信号からＮＩＴ取得部５ｄにて取得されたＮＩＴと、このＮＩＴに含まれるチャンネル番号（物理チャンネル）が、チャンネル表示器５ｈに表示される（ＳＡ１）。例えば、ＮＩＴとチャンネル番号は交互に表示され、ＮＩＴの桁数がチャンネル表示器５ｈの表示桁数より多い場合には、ＮＩＴは複数に分割して順次表示される。操作者は、これらチャンネル番号及びＮＩＴの表示内容を目視することで、現在の放送用信号の内容を確認でき、この放送用信号が希望波によるものであるか否かを確認することができる。そして、操作者は、この表示内容が希望波のチャンネル番号及びＮＩＴに一致している場合には、ＮＩＴ設定ＳＷ５ｍを押すことで、ＮＩＴ設定を指示する。この指示を受けたＮＩＴ判定部５ｅは（ＳＡ２、Ｙｅｓ）、その時点においてチャンネル表示器５ｈに表示していたＮＩＴを内部に保持することで、ＮＩＴの設定を行う（ＳＡ３）。なお、ＮＩＴが取得できない場合には、その旨を示す所定の表示（例えば「−」）をチャンネル表示器５ｈに表示する。また、この際、ＮＩＴの到来タイミングと、ＮＩＴの取得／判定タイミングを合致させる同期処理を行う。これにて設定処理が終了する。
【００４５】
（中継処理）
次に、中継システム１について説明する。図５は、実施の形態１に係る中継システム１の中継処理のフローチャートである。また、図６は、図１及び図２の受信変換部３の切替部３ｄ，３ｅの切り替え状況を示す概略図であり、（ａ）は、切替部３ｄ，３ｅを１３セグフィルタ３ｆに接続した状況を示し、（ｂ）は、切替部３ｄ，３ｅを１セグフィルタ３ｇに接続した状況を示す。また、図７は、実施の形態１に係る中継システム１の放送用信号を示す概略図であり、（ａ）は、１３セグフィルタ３ｆを介して伝送された放送用信号を示し、（ｂ）は、１セグフィルタ３ｇを介して伝送された放送用信号を示す。
【００４６】
まず、ＮＩＴ取得部５ｄは、復調部５ｃにて復調された放送用信号からＮＩＴを取得すると（ＳＢ１、Ｙｅｓ）、当該ＮＩＴをＮＩＴ判定部５ｅに出力すると共に（ＳＢ２）、ＮＩＴを含む報知信号を生成して、当該報知信号を入出力Ｉ／Ｆ５ｇを介して遠方監視装置に送信する（ＳＢ３）。この報知信号を受信した遠方監視装置は、当該受信した報知信号に含まれるＮＩＴを表示部に表示する。従って、遠方監視装置は、デジタルスケルチ５によって取得されたＮＩＴの内容を、監視者に対して視覚的に提供することができる。
【００４７】
また、ＮＩＴ判定部５ｅは、ＮＩＴ取得部５ｄにて取得されたＮＩＴと、設定処理によって内部に保持したＮＩＴとが、相互に一致するか否かを判定する（ＳＢ４）。そして、ＮＩＴ判定部５ｅは、この判定結果を示す信号をスケルチ制御部５ｆに出力する（ＳＢ５）。スケルチ制御部５ｆは、ＮＩＴ判定部５ｅからの判定結果に基づいて、出力遮断の要否を判定し（ＳＢ６）、この判定の結果に基づいて出力遮断制御を行う。ここで、スケルチ制御部５ｆは、ＮＩＴが不一致の場合には（ＳＢ６、Ｙｅｓ）、出力を遮断する（ＳＢ７）。
【００４８】
一方、ＮＩＴが一致の場合には（ＳＢ６、Ｎｏ）、品質判定部５ｆ１は、予め当該品質判定部５ｆ１に設定された所定値に基づいて、ＮＩＴ判定部５ｅによって判定された放送用信号の品質レベルが所定レベル以上であるか否かを判定する（ＳＢ８）。例えば、品質判定部５ｆ１は、放送用信号の変調誤差比が所定の変調誤差比以上であるか否かを判定する。具体的には、品質判定部５ｆ１は、放送用信号の変調誤差比が所定の変調誤差比以上であると判定した場合には、当該放送用信号を「品質レベルが所定レベル以上」とする。また、品質判定部５ｆ１は、放送用信号の変調誤差比が所定の変調誤差比未満であると判定した場合には、当該放送用信号を「品質レベルが所定レベル未満」とする。
【００４９】
ここで、放送用信号の品質レベルが所定レベル以上であると判定された場合には（ＳＢ８、Ｙｅｓ）、図６（ａ）に示すように、スケルチ制御部５ｆは、切替部３ｄ，３ｅを１３セグフィルタ３ｆに接続させる（ＳＢ９）。これにより、放送用信号が１３セグフィルタ３ｆを介してＰＡ６へ伝送される。そして、図７（ａ）に示すように、この放送用信号は、例えば、デジタル放送用信号の場合、１３セグメント全部を含む所定帯域の信号のみが抽出されると同時にノイズ成分が除去された状態で、ＰＡ６及び送信アンテナ７を介して中継システム１の外部へ出力される。
【００５０】
一方、放送用信号の品質レベルが所定レベル未満と判定された場合には（ＳＢ８、Ｎｏ）、図６（ｂ）に示すように、スケルチ制御部５ｆは、切替部３ｄ，３ｅを１セグフィルタ３ｇに接続させる（ＳＢ１０）。これにより、放送用信号が１セグフィルタ３ｇを介してＰＡ６へ伝送される。そして、図７（ｂ）に示すように、この放送用信号は、例えば、デジタル放送用信号の場合、１セグＴＶ放送用の１セグメントのみを含む所定帯域の信号のみが抽出されると同時にノイズ成分が除去された状態で、ＰＡ６及び送信アンテナ７を介して中継システム１の外部へ出力される。
【００５１】
また、スケルチ制御部５ｆは、ステップＳＢ１０で処理した放送用信号を出力させるために、所定時間経過するまで待機し（ＳＢ１１）、所定時間が経過した場合には（ＳＢ１１、Ｙｅｓ）、放送用信号の品質レベルが変化した可能性があるために再度の品質レベル判定を行うべく、ステップＳＢ９に移行して切替部３ｄ，３ｅを１３セグフィルタ３ｆに接続する。そして、スケルチ制御部５ｆは、ステップＳＢ１に戻り、ステップＳＢ１〜ＳＢ６を経て、ステップＳＢ８の判定を行う。以降同様に、これらステップＳＢ１からＳＢ１１を繰り返す。なお、スケルチ制御部５ｆは、他の方法で放送用信号の品質レベルを取得できる場合（例えば受信変換部３の前段から取得された信号をスケルチ制御部５ｆに入力する場合）には、当該取得した品質レベルが所定レベル以上に変化するまでは、ＳＢ１０における１セグフィルタ３ｇへの接続状態を継続し、当該取得した品質レベルが所定レベル以上に変化した時点でステップＳＢ９に移行して１３セグフィルタ３ｆへの接続に復帰させてもよい。
【００５２】
（実施の形態１の効果）
このように実施の形態１によれば、品質判定部５ｆ１によって放送用信号の品質レベルが所定レベル以上であると判定された場合に、放送用信号が１３セグフィルタ３ｆを介して当該中継システム１の外部へ出力され、品質判定部５ｆ１によって放送用信号の品質レベルが所定レベル未満である場合には、放送用信号が１セグフィルタ３ｇを介して当該中継システム１の外部へ出力されるので、放送用信号の品質レベルに応じて当該放送用信号の出力を制限することができ、付加情報の一部に不具合を有する放送用信号を不要放射することを回避でき、放送用信号を出力する際に必要な消費電力を低減することができる。特に、デジタル放送用信号の品質レベルが所定レベル以上の場合には、１３セグメントのデジタル放送用信号を１３セグフィルタ３ｆを介して当該中継システム１の外部に出力させ、デジタル放送用信号の品質レベルが所定レベル未満の場合には、１セグメントのデジタル放送用信号を１セグフィルタ３ｇを介して当該中継システム１の外部に出力させることができるので、消費電力を効果的に低減できる。
【００５３】
また、１３セグフィルタ３ｆ、１セグフィルタ３ｇ、及び切替部３ｄ，３ｅを、受信変換部３又は送信変換部４に設け、品質判定部５ｆ１をデジタルスケルチ５に設けたことで、デジタルスケルチ５を用いて、ＮＩＴに基づく出力遮断制御とフィルタ選択判定の両方を行うことができ、別途の判定機構を設ける必要がなくなり、中継システム１を一層簡易に構成することができる。
【００５４】
〔実施の形態２〕
次に、実施の形態２について説明する。この実施の形態２は、蓄電手段を設け、この蓄電手段にて蓄電された電力による中継システムの駆動状況に基づいて、第１のフィルタ手段及び第２のフィルタ手段を切り替える形態である。ただし、実施の形態２の構成は、特記する場合を除いて実施の形態１の構成と略同一であり、実施の形態１の構成と略同一の構成についてはこの実施の形態１で用いたのと同一の名称又は符号を必要に応じて付して、その説明を省略する（実施の形態３においても同じ）。
【００５５】
（構成）
実施の形態２に係る中継システム１は、図１、２に示した実施の形態１の中継システム１とほぼ同様に構成でき、スケルチ制御部５ｆの後述する制御内容のみが異なるため、その構成の説明は省略する。
【００５６】
（処理）
実施の形態２に係る中継システム１のデジタルスケルチ５において行われる各種の処理は、実施の形態１と同様の設定処理と、実施の形態１とは一部が異なる中継処理に大別される。以下では、中継処理についてのみ説明する。
【００５７】
（中継処理）
図８は、実施の形態２に係る中継システム１の中継処理のフローチャートである。この中継処理におけるステップＳＣ１〜ＳＣ７とＳＣ９〜ＳＣ１２は、図５に示した実施の形態１の中継処理のステップＳＢ１〜ＳＢ７とＳＢ８〜ＳＢ１１とそれぞれ同じであるため、その説明を省略する。ここでは、出力遮断制御が不要であると判定された場合（ＳＣ６、Ｎｏ）、スケルチ制御部５ｆは、中継システム１が蓄電部８ａによって駆動しているか否かを判定する（ＳＣ８）。ここで、中継システム１が蓄電部８ａによって駆動していない場合には（ＳＣ８、Ｎｏ）、品質判定部５ｆ１は、ＮＩＴ判定部５ｅによって判定された放送用信号の品質レベルが所定レベル以上であるか否かを判定する（ＳＣ９）。
【００５８】
一方、中継システム１が蓄電部８ａによって駆動している場合（ＳＣ８、Ｙｅｓ）、スケルチ制御部５ｆは、切替部３ｄ，３ｅを１セグフィルタ３ｇに接続させる（ＳＣ１１）。このことにより、放送用信号の１セグメントのみが外部へ出力されるので、放送用信号を低電力で長時間中継することができる。
【００５９】
（実施の形態２の効果）
このように実施の形態２によれば、蓄電部８ａにて蓄電された電力によって当該中継システム１が駆動する場合に、放送用信号が１セグフィルタ３ｇを介して当該中継システム１の外部へ出力されるので、災害等によって停電した場合であっても、放送用信号を低電力で長時間中継することができる。
【００６０】
〔実施の形態３〕
次に、実施の形態３について説明する。この実施の形態３は、判定手段を第１のフィルタ手段、第２のフィルタ手段、及び切替手段よりも前段に配置した形態である。
【００６１】
（構成）
図９は、実施の形態３に係る中継システムの構成を概念的に示すブロック図である。図１０は、図１０の要部の構成を具体的に示すブロック図である。図９及び図１０に示す中継システム１０１は、図１、２に示した実施の形態１の中継システム１とほぼ同様に構成でき、デジタルスケルチ１０５の配置位置と、スケルチ制御部１０５ｆ及び品質判定部１０５ｆ１の後述する制御内容のみが異なるため、その構成の説明は省略する。なお、品質判定部１０５ｆ１は、受信アンテナ１０２から出力された放送用信号の品質レベルを所定値に基づいて判定する。品質判定部１０５ｆ１の具体的構成は任意であるが、例えば、受信アンテナ１０２から出力された放送用信号のノイズを除去して、当該放送用信号の品質レベルを判定することができる図示しないノイズ解析部を備えてもよい。
【００６２】
（処理）
実施の形態３に係る中継システム１０１のデジタルスケルチ１０５において行われる各種の処理は、実施の形態１と同様の設定処理と、実施の形態１とは一部が異なる中継処理に大別される。以下では、中継処理についてのみ説明する。
【００６３】
（中継処理）
図１１は、実施の形態２に係る中継システム１０１の中継処理のフローチャートである。図１２は、図９及び図１０の受信変換部１０３の切替部１０３ｄ，１０３ｅの切り替え状況を示す概略図であり、出力遮断時の状況を示す。ただし、この中継処理におけるステップＳＤ１〜ＳＤ９は、図５に示した実施の形態１の中継処理のステップＳＢ１〜ＳＢ９とそれぞれ同じであるため、その説明を省略する。
【００６４】
放送用信号の品質レベルが所定レベル未満であると判定された場合（ＳＤ８、Ｎｏ）、品質判定部１０５ｆ１は、放送用信号に含まれる所定領域の信号の一部（ここではワンセグＴＶ放送用の１セグメント）の品質レベルが所定レベル以上であるか否かを判定する（ＳＤ１０）。例えば、品質判定部１０５ｆ１は、予め当該品質判定部１０５ｆ１に設定された所定値に基づいて、放送用信号に含まれる所定領域の信号の一部の変調誤差比が所定の変調誤差比以上であるか否かを判定する。具体的には、品質判定部１０５ｆ１は、放送用信号に含まれる所定領域の信号の一部の変調誤差比が所定の変調誤差比以上であると判定した場合には、当該放送用信号に含まれる所定領域の信号の一部を「品質レベルが所定レベル以上」とする。また、品質判定部１０５ｆ１は、放送用信号に含まれる所定領域の信号の一部の変調誤差比が所定の変調誤差比未満であると判定した場合には、当該放送用信号に含まれる所定領域の信号の一部を「品質レベルが所定レベル未満」とする。
【００６５】
ここで、放送用信号の所定領域の信号の一部の品質レベルが所定レベル以上であると判定された場合には（ＳＤ１０，Ｙｅｓ）、図６（ｂ）と同様に、スケルチ制御部１０５ｆは、切替部１０３ｄ，１０３ｅを１セグフィルタ１０３ｇに接続させる（ＳＤ１１）。一方、放送用信号の所定領域の信号の一部の品質レベルが所定レベル未満であると判定された場合には（ＳＤ１０，Ｎｏ）、図１２に示すように、スケルチ制御部１０５ｆは、例えば、切替部１０３ｄを１３セグフィルタ１０３ｆに接続し、切替部１０３ｅを１セグフィルタ１０３ｇに接続させること等で、いかなる信号も中継システム１０１の外部に出力されないように、出力遮断制御を行う（ＳＤ１２）。
【００６６】
（実施の形態３の効果）
実施の形態３によれば、品質判定部１０５ｆ１によって放送用信号に含まれる所定領域の信号の一部の品質レベルが所定レベル未満と判定された場合に、放送用信号を中継システム１０１の外部へ出力させないので、放送用信号を出力する際に必要な消費電力を一層低減することができる。特に、このような信号出力の遮断を、１３セグフィルタ１０３ｆ及び１セグフィルタ１０３ｇに対する切替部１０３ｄ，１０３ｅを用いて行うことで、別途の遮断機構を設ける必要がなくなり、中継システム１０１を一層簡易に構成することができる。
【００６７】
また、品質判定部１０５ｆ１を、１３セグフィルタ１０３ｆ、１セグフィルタ１０３ｇ、及び切替部１０３ｄ，１０３ｅよりも前段に配置したことで、放送用信号の品質レベルを判定してから切替部１０３ｄ，１０３ｅを切り替えることができる。このため、例えば、放送用信号の品質レベルが所定レベル未満であると判定された場合に、切替部１０３ｄ，１０３ｅを用いて１３セグフィルタ１０３ｆ及び１セグフィルタ１０３ｇを切り替えることで信号出力を遮断するような制御を行っても、放送用信号の品質レベルが所定レベル以上になった場合には、この事実を検知して信号出力を再開できる。
【００６８】
また、品質判定部１０５ｆ１によって放送用信号に含まれる所定帯域の信号の一部の品質レベルが所定レベル未満と判定された場合に、放送用信号に含まれる所定帯域の信号の一部を当該中継システム１０１の外部へ出力させないので、放送用信号を出力する際に必要な消費電力を一層低減することができる。特に、このような信号出力の遮断を、１３セグフィルタ１０３ｆ及び１セグフィルタ１０３ｇに対する切り替え機構を用いて行うことで、別途の遮断機構を設ける必要がなくなり、当該中継システム１０１を一層簡易に構成することができる。
【００６９】
〔III〕各実施の形態に対する変形例
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００７０】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００７１】
（各実施の形態の構成）
各実施の形態では、受信変換部が、１３セグフィルタ、１セグフィルタ、及び切替部を備えて構成しているが、これに限らず、その他の機器がこれらを備えて構成してもよい。例えば、送信変換部が、１３セグフィルタ、１セグフィルタ、及び切替部を備えて構成することが該当する。なお、このような構成において、送信変換部は、スケルチ制御部にて切替部が制御されるように、スケルチと接続させる必要がある。
【００７２】
（フィルタ手段について）
フィルタ手段は、１３セグフィルタと１セグフィルタとの組み合わせに限らず、複数の異なるフィルタを組み合わせてもよい。例えば、受信変換部には、１３セグフィルタ、４セグフィルタ（地上デジタル放送の場合において、デジタル放送用信号の１チャンネルの信号から、ノイズを除去して４セグメントのみを抽出できるフィルタ）、及び１セグフィルタが並列配置されることが該当する。なお、このようなフィルタの組み合わせに対応できるように、切替部は各フィルタを切り替える機能を有する必要がある。
【図面の簡単な説明】
【００７３】
【図１】実施の形態１に係る中継システムの構成を概念的に示すブロック図である。
【図２】図１の要部の構成を具体的に示すブロック図である。
【図３】図１及び図２のデジタルスケルチの構成を示すブロック図である。
【図４】実施の形態１に係る中継システムの設定処理のフローチャートである。
【図５】実施の形態１に係る中継システムの中継処理のフローチャートである。
【図６】図１及び図２の受信変換部の切替部の切り替え状況を示す概略図であり、（ａ）は、切替部を１３セグフィルタに接続した状況を示し、（ｂ）は、切替部を１セグフィルタに接続した状況を示す。
【図７】実施の形態１に係る中継システムの放送用信号を示す概略図であり、（ａ）は、１３セグフィルタを介して伝送された放送用信号を示し、（ｂ）は、１セグフィルタを介して伝送された放送用信号を示す。
【図８】実施の形態２に係る中継システムの中継処理のフローチャートである。
【図９】実施の形態３に係る中継システムの構成を概念的に示すブロック図である。
【図１０】図１０の要部の構成を具体的に示すブロック図である。
【図１１】実施の形態３に係る中継システムの中継処理のフローチャートである。
【図１２】図９及び図１０の受信変換部の切替部の切り替え状況を示す概略図であり、出力遮断した状況を示す。
【図１３】従来の中継システムの構成を示したブロック図である。
【符号の説明】
【００７４】
１、１０１、２００  中継システム
２、１０２、２０１  受信アンテナ
３、１０３、２０２  受信変換部
３ａ、１０３ａ  ミキサ
３ｂ、１０３ｂ  発振器
３ｃ、１０３ｃ  アンプ
３ｄ、３ｅ、１０３ｄ、１０３ｅ  切替部
３ｆ、１０３ｆ  １３セグフィルタ
３ｇ、１０３ｇ  １セグフィルタ
３ｈ、１０３ｈ  入力端子
３ｉ、１０３ｉ  出力端子
４、１０４、２０３  送信変換部
５、１０５  デジタルスケルチ
５ａ  入力端子
５ｂ  出力端子
５ｃ  復調部
５ｄ  ＮＩＴ取得部
５ｅ  ＮＩＴ判定部
５ｆ、１０５ｆ  スケルチ制御部
５ｆ１、１０５ｆ１  品質判定部
５ｇ  入出力Ｉ／Ｆ
５ｈ  チャンネル表示器
５ｉ  チャンネル設定ＳＷ
５ｊ  同期表示灯
５ｋ  ＮＩＴ受信表示灯
５ｍ  ＮＩＴ設定ＳＷ
５ｎ  スケルチ表示灯
５ｐ  制御ＳＷ
５ｑ  リセットＳＷ
６、１０６、２０４  ＰＡ
７、１０７、２０５  送信アンテナ  
８、１０８  電源部  
８ａ、１０８ａ  蓄電部
９ａ１、９ａ２、１０９ａ１、１０９ａ２  入力端子
９ｂ１、９ｂ２、１０９ｂ１、１０９ｂ２  出力端子
２０２ａ、２０３ａ  スケルチ
【図１】
2010098502.tif 000003
【図２】
2010098502.tif 000004
【図３】
2010098502.tif 000005
【図４】
2010098502.tif 000006
【図５】
2010098502.tif 000007
【図６】
2010098502.tif 000008
【図７】
2010098502.tif 000009
【図８】
2010098502.tif 000010
【図９】
2010098502.tif 000011
【図１０】
2010098502.tif 000012
【図１１】
2010098502.tif 000013
【図１２】
2010098502.tif 000014
【図１３】
2010098502.tif 000015